【手続補正書】
【提出日】令和1年11月28日(2019.11.28)
【手続補正１】
【補正対象書類名】特許請求の範囲
【補正対象項目名】全文
【補正方法】変更
【補正の内容】
【特許請求の範囲】
【請求項１】
コミッショニングデバイス及び複数のランプを備える照明システムであって、
前記複数のランプの各ランプは、
光データ信号を発するための光源であって、前記光データ信号は、当該ランプに関連する固有の識別子を含む、光源と、
当該ランプの光学的範囲内に位置する少なくとも１つのさらなるランプからさらなる光データ信号を受信するための光センサであって、前記さらなる光データ信号は、前記さらなるランプに関連するさらなる固有の識別子を含む、光センサと、
前記コミッショニングデバイスに通信可能に結合するためのランプ無線通信ユニットと、
を備え、
前記コミッショニングデバイスは、
前記光データ信号を受信するためのコミッショニング光センサと、
システムクレデンシャルを格納するための第1のクレデンシャルメモリと、
第1のランプの前記固有の識別子を受信した後、前記第1のランプを当該システムにコミッショニングするため、前記固有の識別子及び送信された前記システムクレデンシャルに基づいて前記第1のランプとの第1の無線通信リンクを確立するために、格納された前記システムクレデンシャルを前記第1のランプに送信するよう構成される、コミッショニング無線通信ユニットと、
を備え、
前記第1のランプの前記ランプ無線通信ユニットは、前記第1のランプがコミッショニングされた後、前記さらなる固有の識別子を受信すると、前記さらなるランプを当該システムにコミッショニングすることを可能にするために、前記第1の無線通信リンクを介して前記コミッショニングデバイスに前記さらなる固有の識別子を送るよう構成される、照明システム。
【請求項２】
前記コミッショニング光センサは、前記さらなるランプが前記コミッショニングデバイスの光学的範囲内に位置する場合、前記さらなるランプから前記さらなる光データ信号を受信するよう構成される、請求項１に記載のシステム。
【請求項３】
前記コミッショニングデバイスは、受信した前記さらなる固有の識別子で、格納された前記システムクレデンシャルを暗号化するよう構成されるコミッショニングプロビジョニングユニットを備え、前記コミッショニング無線通信ユニットは、前記さらなるランプが前記さらなる固有の識別子を使用してクレデンシャルを解読することを可能にするために、暗号化された前記クレデンシャルを前記さらなるランプに送信するよう構成される、請求項１又は２に記載のシステム。
【請求項４】
前記コミッショニング無線通信ユニットは、前記システムクレデンシャルを前記さらなるランプに直接、又は前記さらなるランプに前記第1のランプを介して送信するよう構成される、請求項１乃至３の何れか一項に記載のシステム。
【請求項５】
前記コミッショニングデバイスは、無線通信プロトコルを介して前記コミッショニング無線通信ユニットを通じて前記第1のランプに通信可能に結合されるよう構成される、請求項１乃至４の何れか一項に記載のシステム。
【請求項６】
コミッショニングされた前記ランプは、前記ランプ無線通信ユニットが前記第1の無線通信リンクを確立するよう構成された後、前記光源が前記光データ信号を発するのを無効にするよう構成される、請求項１乃至５の何れか一項に記載のシステム。
【請求項７】
当該システムは、前記さらなるランプがコミッショニングされた後、前記第1のランプ及び前記さらなるランプの動作を制御するため、前記コミッショニングデバイスに通信可能に結合するために、当該システムにコミッショニングされるよう構成されるコントローラデバイスを含む、請求項１乃至６の何れか一項に記載のシステム。
【請求項８】
前記さらなるランプは、前記さらなる固有の識別子を格納するためのキーメモリを備え、
前記さらなるランプのランプ無線通信ユニットは、暗号化された前記クレデンシャルを受信する、及び前記コミッショニング無線通信ユニットとの第2の無線通信リンクを確立するよう構成され、
前記さらなるランプは、格納された前記さらなる固有の識別子を通じて受信した暗号化された前記クレデンシャルを解読するよう構成されるプロビジョニングユニットを備える、請求項３に従属する請求項４乃至７の何れか一項に記載のシステム。
【請求項９】
当該システムは、コントローラデバイスであって、当該コントローラデバイスを当該システムにコミッショニングするため、コントローラ固有の識別子を含む光データ信号を発するための光源と、当該コントローラデバイスをコミッショニングした後、前記第1のランプ及び前記さらなるランプの動作を制御するため、前記コミッショニングデバイスとの通信を可能にするためのコントローラ無線ユニットとを備えるコントローラデバイスを含む、請求項１乃至８の何れか一項に記載のシステム。
【請求項１０】
さらなるランプをシステムにコミッショニングするためのランプであって、前記システムは、複数のランプ、及び
ランプの固有の識別子を含む光データ信号を受信するためのコミッショニング光センサと、
システムクレデンシャルを格納するための第1のクレデンシャルメモリと、
前記固有の識別子を受信した後、第1のランプを前記システムにコミッショニングするため、前記固有の識別子及び送信された前記システムクレデンシャルに基づいて前記第1のランプとの第1の無線通信リンクを確立するために、格納された前記システムクレデンシャルを前記第1のランプに送信するよう構成される、コミッショニング無線通信ユニットと、
を備えるコミッショニングデバイスを備え、
当該ランプは、
光データ信号を発するための光源であって、当該光データ信号は、当該ランプに関連する固有の識別子を含む、光源と、
当該ランプの光学的範囲内に位置する少なくともさらなるランプからさらなる光データ信号を受信するための光センサであって、前記さらなる光データ信号は、前記さらなるランプに関連するさらなる固有の識別子を含む、光センサと、
前記コミッショニングデバイスに通信可能に結合するためのランプ無線通信ユニットであって、当該ランプがコミッショニングされた後、前記さらなる固有の識別子を受信すると、前記さらなるランプを前記システムにコミッショニングすることを可能にするために、前記第1の無線通信リンクを介して前記コミッショニングデバイスに前記さらなる固有の識別子を送るよう構成される、ランプ無線通信ユニットと、
を備える、ランプ。
【請求項１１】
システムにおいて新しいデバイスをコミッショニングする方法であって、前記システムは、コミッショニングデバイス及び複数のランプを備え、当該方法は、
第1のランプから光データ信号を発するステップであって、前記光データ信号は、前記第1のランプに関連する固有の識別子を含む、ステップと、
前記コミッショニングデバイスにおいてシステムクレデンシャルを格納するステップと、
前記コミッショニングデバイスにより前記固有の識別子を受信するステップと、
前記第1のランプによるシステムクレデンシャルの受信を可能にするため、格納された前記システムクレデンシャルを前記コミッショニングデバイスから前記第1のランプに送信するステップと、
前記第1のランプを前記システムにコミッショニングするため、前記固有の識別子及び受信される前記システムクレデンシャルに基づいて前記コミッショニングデバイスと前記第1のランプとの間の第1の無線通信リンクを確立するステップと、
さらなるランプからさらなる光データ信号を発するステップであって、前記さらなる光データ信号は、前記さらなるランプに関連するさらなる固有の識別子を含む、ステップと、
前記第1のランプにより前記さらなる固有の識別子を受信するステップと、
前記第1の無線通信リンクを介して前記コミッショニングデバイスに前記第1のランプにより前記さらなる固有の識別子を送るステップと、
前記さらなるランプを前記システムにコミッショニングできるようにするステップと、
を含む、方法。
【請求項１２】
コンピュータプログラムであって、該コンピュータプログラムがコンピュータで実行される場合に請求項１１に記載の方法を実行するよう構成されるコンピュータプログラム命令を含み、前記コンピュータは、請求項１１に記載の方法の１つ以上のステップを実行するためのコミッショニング無線通信ユニットを備える、コンピュータプログラム。
【請求項１３】
請求項１２に記載のコンピュータプログラムを具備するコンピュータ可読媒体。